(57)【要約】【課題】コンクリート構造物の基礎として必要な露出形式の柱脚構造体などに活用出来るアンカーボルト支持構造を提供すること。【解決手段】据付け用ベースプレート１の上に筒状体２を垂直に立設し、アンカーボルト３には、その下端側のネジ軸部３ｂに軸状ナット４を螺嵌させ、この軸状ナット４を前記筒状体２内に嵌合させ、前記軸状ナット４を前記筒状体２に対して自転不能にする回り止め手段（ロックボルト６など）が設けられた構成。【選択図】図１
2019190048.tif 000002
【特許請求の範囲】
【請求項１】
据付け用ベースプレートの上に筒状体を垂直に立設し、アンカーボルトには、その下端側のネジ軸部に軸状ナットを螺嵌させ、この軸状ナットを前記筒状体内に嵌合させ、前記軸状ナットを前記筒状体に対して自転不能にする回り止め手段が設けられている、アンカーボルト支持構造。
【請求項２】
前記筒状体に、先端で前記軸状ナットの周面を押圧する軸状ナット抜け止め用のロックボルトが設けられ、このロックボルトが前記回り止め手段を兼ねている、請求項１に記載のアンカーボルト支持構造。
【請求項３】
前記筒状体には、その下端寄りの位置にコンクリート流入用開口部が設けられている、請求項１又は２に記載のアンカーボルトの支持構造。
【請求項４】
前記軸状ナットには、前記筒状体の上端に載るフランジ部が設けられている、請求項１〜３の何れか１項に記載のアンカーボルトの支持構造。
【請求項５】
前記筒状体には、その上端側が解放されたスリットが設けられ、前記軸状ナットには、前記スリットに遊嵌する突起が設けられ、この突起と前記スリットによって前記回り止め手段が構成されている、請求項１〜４の何れか１項に記載のアンカーボルトの支持構造。
【請求項６】
前記筒状体は、その横断面が角形の筒状本体によって構成され、前記軸状ナットも、前記角形の筒状本体内に差し込み引き抜きのみ可能な、横断面が角形の柱状本体によって構成され、前記回り止め手段が、前記筒状本体と前記柱状本体とによって構成されている、請求項１〜４の何れか１項に記載のアンカーボルトの支持構造。
【請求項７】
少なくとも４本の前記アンカーボルトが、前記据付け用ベースプレート、前記筒状体、及び前記軸状ナットを介して、柱状空間を取り囲むように立設され、前記柱状空間の上端をカバーする１枚のテンプレートに、各アンカーボルトの上端側ネジ軸部が貫通する貫通孔を設け、前記テンプレートの下側で各アンカーボルトの上端側ネジ軸部に螺嵌する下側受けナットと、前記テンプレートの上側で各アンカーボルトの上端側ネジ軸部に螺嵌する上側押えナットによって、前記テンプレートを前記アンカーボルトによって支持させている、請求項１〜６の何れか１項に記載のアンカーボルトの支持構造。
【請求項８】
少なくとも４本の前記筒状体は、１枚の据付け用ベースプレート上に配列固着されている、請求項７に記載のアンカーボルトの支持構造。
【発明の詳細な説明】
【技術分野】
【０００１】
本発明は、露出形式の柱脚構造体などに活用出来るアンカーボルト支持構造に関するものである。
【背景技術】
【０００２】
露出形式の柱脚構造体に使用されるアンカーボルトは、特許文献を挙げることは出来ないが、基礎天端上に設置されたフレーム構造体に、柱状空間を取り囲むように配置された複数本のアンカーボルトの長さ方向中間部をボルト止めし、これら複数本のアンカーボルトの上端部に、前記柱状空間の上端をカバーするように１枚のテンプレートを上下ダブルナットで固定し、必要に応じて隣り合う２本のアンカーボルトの下端部どうしを定着板と称される連結プレートとナットとで連結して構成される。
【発明の概要】
【発明が解決しようとする課題】
【０００３】
上記のような従来周知の柱脚構造体の構成では、複数本のアンカーボルトを所定位置に位置決めするのに、山型鋼などを複雑に組み合わせた、組み立てに手間暇のかかるフレーム構造体が必要であるばかりでなく、アンカーボルトの高さ調整も、フレーム構造体に対して各アンカーボルトを片手で上げ下げして保持した状態で、反対側の手でフレーム構造体に対してアンカーボルトを固定するボルトを操作しなければならず、全体として手数がかかり、コスト高になる問題点があった。
【課題を解決するための手段】
【０００４】
本発明は、上記のような従来の柱脚構造体における問題点を解消するために活用出来るアンカーボルト支持構造を提案するものであって、本発明に係るアンカーボルト支持構造は、後述する実施例との関係を理解し易くするために、当該実施例の説明において使用した参照符号を括弧付きで付して示すと、据付け用ベースプレート(1)の上に筒状体(2)を垂直に立設し、アンカーボルト(3)には、その下端側のネジ軸部(3b)に軸状ナット(4)を螺嵌させ、この軸状ナット(4)を前記筒状体(2)内に嵌合させ、前記軸状ナット(4)を前記筒状体(2)に対して自転不能にする回り止め手段（ロックボルト(6)など）が設けられた構成になっている。
【発明の効果】
【０００５】
上記本発明の構成によれば、アンカーボルトの下端側のネジ軸部に軸状ナットを前もって捻じ込んで取り付けておき、基礎天端上の所定位置に据付け用ベースプレートを固定したならば、前記アンカーボルトの下端の軸状ナットを据付け用ベースプレート上の筒状体内に挿入することにより、アンカーボルトを基礎天端上の所定位置に垂直に支持させること出来る。このアンカーボルトの高さ調整が必要なときは、前記軸状ナットが前記筒状体に回り止めされているので、単にアンカーボルトを手で回転させて、下端の軸状ナットに対してアンカーボルトを上げ下げすることが出来、アンカーボルトの高さ調整後も特に別のロックボルトなどでロックしなくとも、アンカーボルトが自然に下降する恐れは皆無である。このように本発明の構成によれば、従来の構造複雑なフレーム構造体に代わって、筒状体が立設された据付け用ベースプレートを使用するだけであるから、この据付け用ベースプレートを基礎天端上の所定位置に固定するだけで済み、従来のようなフレーム構造体の組立て作業が不要である。又、アンカーボルトの高さ調整も上記のように極めて簡単容易に行える。
【０００６】
尚、上記の本発明に係るアンカーボルト支持構造は、１本のアンカーボルト(3)を基礎天端上に立設する場合に活用出来るが、この本発明に係るアンカーボルト支持構造を柱脚構造体として利用する場合は、少なくとも４本の前記アンカーボルト(4)を、前記据付け用ベースプレート(1)、前記筒状体(2)、及び前記軸状ナット(4)を介して、柱状空間を取り囲むように立設し、前記柱状空間の上端をカバーする１枚のテンプレート(10)には、各アンカーボルト(3)の上端側ネジ軸部(3c)が貫通する貫通孔(10a)を設け、前記テンプレートの下側で各アンカーボルトの上端側ネジ軸部に螺嵌する下側受けナット(11)と、前記テンプレート(10)の上側で各アンカーボルト(3)の上端側ネジ軸部(3c)に螺嵌する上側押えナット(12)によって、前記テンプレート(10)を所定のレベルで前記アンカーボルト(3)によって支持させれば良い。この場合、基本的にはアンカーボルト毎に据付け用ベースプレートが独立している構造となるが、場合によっては、１枚の大きな据え付け用ベースプレートを使用し、この１枚の大きな据え付け用ベースプレート上に、各アンカーボルトを支持する前記筒状体を配置固着しておくことも出来る。
【０００７】
尚、現実的には、基礎天端上に据え付けた据付け用ベースプレート上の筒状体にアンカーボルトの下端側ネジ軸部に螺嵌させた軸状ナットを挿入した状態では、アンカーボルトを引き抜かない限り当該アンカーボルトが抜け外れることはないが、前記筒状体(2)に、先端で前記軸状ナット(4)の周面を押圧する軸状ナット抜け止め用のロックボルト(6)を設けておいても良い。この場合、筒状体に対する軸状ナットの回り止め手段を別に設けないで、前記軸状ナット抜け止め用のロックボルト(6)を筒状体(2)に対する軸状ナット(4)の回り止め手段とすることも出来る。
【０００８】
又、前記筒状体(2)の筒状本体(2a)には、その下端寄りの位置にコンクリート流入用開口部(7a,7b,17)を設けておくのが望ましい。前記軸状ナット(4)には、前記筒状体(2)の上端に載るフランジ部(4a)を設けて、軸状ナットの支持高さが一定するように構成しておくのが望ましい。
【０００９】
更に、前記筒状体(2)の筒状本体(2a)には、その上端側が解放されたスリット(13)を設け、前記軸状ナット(4)には、前記スリット(13)に遊嵌する突起(14)を設け、この突起(14)と前記スリット(13)によって前記回り止め手段を構成することが出来る。この構成では、前記スリット(13)を筒状体(2)の全長にわたって設けることにより、このスリット(13)を筒状体(2)内へのコンクリート流入用開口部に兼用させることも出来る。又、前記筒状体(2)は、その横断面が角形の筒状本体(15)によって構成し、前記軸状ナット(4)も、前記角形の筒状本体(15)内に差し込み引き抜きのみ可能な、横断面が角形の柱状本体(16)によって構成し、前記回り止め手段を、前記筒状本体(15)と前記柱状本体(16)とによって構成することが出来る。これらの回り止め手段を採用するときは、筒状体内に軸状ナットが挿入されるだけで、当該軸状ナットが筒状体に対して回り止め状態となり、回り止めのための特別な別部品や、回り止めを機能させるための特別な操作が不要である。
【図面の簡単な説明】
【００１０】
【図１】図１は、本発明のアンカーボルト支持構造を利用して柱脚構造体を構成する場合の分解斜視図である。
【図２】図２Ａは、アンカーボルトと軸状ナットを示す一部縦断側面図、図２Ｂは、軸状ナットの外観を示す斜視図である。
【図３】図３は、完成した柱脚構造体を示す側面図である。
【図４】図４は、図３の一部省略拡大縦断側面図である。
【図５】図５Ａは、第二実施例の要部を示す分解斜視図、図５Ｂは、第三実施例の要部を示す分解斜視図である。
【発明を実施するための形態】
【００１１】
図１〜図４において、１は据付け用ベースプレート、２はこの据付け用ベースプレート１の中央位置に固着立設された筒状体、３はアンカーボルト、４は軸状ナット、５は矩形状のテンプレートである。図２Ａに示すようにアンカーボルト３は、所要長さの鉄筋３ａの下端から一定長さ領域を下端側ネジ軸部３ｂに加工すると共に、当該鉄筋３ａの上端から一定長さ領域を上端側ネジ軸部３ｃに加工したものであって、上端側ネジ軸部３ｃの方が下端側ネジ軸部３ｂよりも長い。据付け用ベースプレート１は、正方形の板材の各辺中央位置にＶ字形の切込み１ａを設けると共に、四隅近傍位置に取付け孔１ｂを設けたものである。
【００１２】
軸状ナット４は、上端にフランジ部４ａが同心状に形成された横断面円形の柱状本体４ｂに、その上端側から有底ネジ孔４ｃを同心状に設けたものであり、柱状本体４ｂの下端には、円錐形の先細り下端部４ｄを連設し、この先細り下端部４ｄの先端は、小径の先端面４ｅを備えるようにカットされている。
【００１３】
筒状体２は、前記軸状ナット４を挿入可能な内径の筒状本体２ａから構成されたもので、当該軸状ナット４のフランジ部４ａを筒状本体２ａの上端に載せたとき、図４に示すように、当該軸状ナット４の先細り下端部４ｄの先端が入り込む貫通孔１ｃが、この筒状本体２ａを固着している据付け用ベースプレート１に設けられ、この貫通孔１ｃの下端（据付け用ベースプレート１の底面）から筒状本体２ａの上端までの距離が、前記軸状ナット４のフランジ部４ａの下側面から小径の先端面４ｄまでの距離と等しいか又は若干短くなるように構成されている。又、筒状本体２ａには、上端近傍に設けられた直径方向に貫通する貫通孔の一方の外側に、当該貫通孔と同心状にナット５が固着され、このナット５に螺入させたロックボルト６の先端を、当該ロックボルト６の捩じ込みにより筒状本体２ａの内側に突出させることが出来るように構成されている。更に、筒状本体２ａには、下端近傍位置に直径方向に貫通する貫通孔７ａ，７ｂが設けられ、この両貫通孔７ａ，７ｂと、前記ナット５の反対側に位置する貫通孔７ｃが、コンクリート流入用開口部となっている。
【００１４】
以上のように構成されたアンカーボルトユニット８を４つ使用して柱脚構造体を構成する場合について説明すると、基礎天端上に４つのアンカーボルトユニット８の設置中心を通る４本の罫書き線９ａ〜９ｄを印しておき、これら４本の罫書き線９ａ〜９ｄの４か所の交差部上に、据付け用ベースプレート１の四辺の切込み１ａが互いに直交する２本の罫書き線９ａ，９ｃ、９ａ，９ｄ、９ｂ，９ｃ、及び９ｂ，９ｄと一致するように載置し、各取付け孔１ｂを貫通するように基礎天端から上向きに突出するアンカーボルトとナットなどにより固定する。次に、アンカーボルト３の下端側ネジ軸部３ｂに螺嵌させた軸状ナット４を、４つの据付け用ベースプレート１上の各筒状体２に挿入する。このとき軸状ナット４が先細り下端部４ｄを備えているので、当該軸状ナット４の筒状体２内への挿入を簡単容易に行える。この後、各筒状体２が備えるロックボルト６を捩じ込んで、当該ロックボルト６の先端で筒状体２内の軸状ナット４の周面を押圧固定して、軸状ナット４の抜け止めと回り止めを施すことにより、基礎天端上に４つのアンカーボルトユニット８をほぼ垂直に設置することが出来る。
【００１５】
柱脚構造体は、上記の基礎天端上に設置した４つのアンカーボルトユニット８によって１枚のテンプレート１０を支持させることによって完成するが、各アンカーボルトユニット８の設置箇所の水平レベルにバラツキがあると、各アンカーボルトユニット８が備えるアンカーボルト３の上端高さにバラツキが生じる。このような状況にあって且つ、図４に示すように軸状ナット４に対してアンカーボルト３の下端側ネジ軸部３ｂが捩じ込み限界まで捩じ込まれているときは、上端高さが最も高いアンカーボルト３の上端高さと同一高さになるように、他のアンカーボルトユニット８のアンカーボルト３を手で握って捩じ戻し方向に回転させ、ロックボルト６により固定状態にある軸状ナット４に対してアンカーボルト３を上昇させる。
【００１６】
上記作業により全てのアンカーボルトユニット８のアンカーボルト３の上端高さが一致したならば、各アンカーボルト３の上端側ネジ軸部３ｃに受けナット１１を螺嵌させ、これら受けナット１１の高さを一定レベルに調整した後、テンプレート１０の四隅近傍に設けられている貫通孔１０ａをアンカーボルト３の上端側ネジ軸部３ｃに外嵌させて、当該テンプレート１０の四隅近傍を４つの受けナット１１で支持させる。この状態でテンプレート１０の水平度に問題があれば、受けナット１１をアンカーボルト３の上端側ネジ軸部３ｃに対して上下方向に高さ調整すれば良い。最後に、テンプレート１０から突出している４本のアンカーボルト３の上端側ネジ軸部３ｃに押えナット１２を螺嵌させて捩じ込むことにより、テンプレート１０の四隅近傍を受けナット１１と押えナット１２とで挟持固定することで、柱脚構造体が完成する。
【００１７】
尚、上記構成のアンカーボルトユニット８を使用するときは、構築する柱脚構造体の規模に応じて使用するアンカーボルトユニット８の数と配置を自由に選定することが出来るが、テンプレート１０は、設置されたアンカーボルトユニット８のアンカーボルト３の位置関係と配置に合わせて構成することになる。逆に使用するアンカーボルトユニット８の数と配置が先に決まっているならば、使用する各アンカーボルトユニット８の据付け用ベースプレート１を、１枚の大きな据付け用ベースプレートに置き換え、この１枚の大きな据付け用ベースプレート上に、所定の数の筒状体２を所定の配置で固着すれば良い。
【００１８】
又、上記実施例では、筒状体２に取り付けたロックボルト６によって、挿入した軸状ナット４の抜け止めと回り止めを行っているが、軸状ナット４の回り止めについては、下記のように実施することも出来る。即ち、図５Ａに示すように、前記筒状体２の円筒状本体２ａには、その全長にわたってスリット１３を設け、前記軸状ナット４には、前記スリット１３に遊嵌する突起１４を設け、この突起１４と前記スリット１３によって前記回り止め手段を構成することも出来る。スリット１３を図示のように筒状体２の全長にわたって形成するときは、矩形状の板材の曲げ加工により筒状体２を構成することが出来るだけでなく、スリット１３の下端側領域を、この筒状体２内へのコンクリートの流入用開口部として利用することが出来る。換言すれば、回り止め手段としてのスリット１３は、筒状体２の上端の開放端から前記突起１４が嵌入出来るだけの長さがあれば良い。図では、軸状ナット４の抜け止めのためのロックボルト６を設けているが、軸状ナット４の抜け止めが不要であれば、ロックボルト６は省くことが出来る。
【００１９】
又、図５Ｂに示すように、前記筒状体２を、横断面が角形、例えば四角形の筒状本体１５によって構成し、軸状ナット４も、そのフランジ部４ａから下の柱状本体１６を、前記角形の筒状本体１５に対して差し込み引き抜きのみ可能な角柱状に構成し、前記回り止め手段を、横断面が角形の筒状本体１５と、この筒状本体１５に対して相対回転不能に嵌合する軸状ナット４の柱状本体１６とによって構成することが出来る。この構成では、既製品の角パイプによって筒状体２を簡単に構成出来るが、筒状本体１５の内部へのコンクリート流入用開口部として、必要に応じて適宜貫通孔１７を設ける必要がある。又、図では、軸状ナット４の抜け止めのためのロックボルト６を設けているが、軸状ナット４の抜け止めが不要であれば、ロックボルト６は省くことが出来る。又、何れの構成によって実施する場合でも、軸状ナット４の上端のフランジ部４ａや、小径の先端面４ｄを備えた先細り下端部４ｂは、本発明に必須のものではない。例えば、小径の先端面４ｄを備えた先細り下端部４ｂに代えて、軸状ナット４の下端周囲の角を適当に面取りして、筒状本体２ａ，１５に対して差込み易くしておくだけでも実用上は十分である。
【産業上の利用可能性】
【００２０】
本発明のアンカーボルト支持構造は、コンクリート構造物の基礎として必要な露出形式の柱脚構造体などに活用出来る。
【符号の説明】
【００２１】
１    据付け用ベースプレート
１ａ    切込み
１ｂ    取付け孔
２    筒状体
２ａ，１５    筒状本体
７ａ〜７ｃ，１０ａ，１７    貫通孔
３    アンカーボルト
３ａ    鉄筋
３ｂ    下端側ネジ軸部
３ｃ    上端側ネジ軸部
４    軸状ナット
４ａ    フランジ部
４ｂ，１６    柱状本体
４ｃ    有底ネジ孔
４ｄ    先細り下端部
４ｅ    小径の先端面
５    固着されたナット
６    ロックボルト
８    アンカーボルトユニット
９ａ〜９ｄ    罫書き線
１０    テンプレート
１１    受けナット
１２    押えナット
１３    スリット
１４    突起
【図１】
2019190048.tif 000003
【図２】
2019190048.tif 000004
【図３】
2019190048.tif 000005
【図４】
2019190048.tif 000006
【図５】
2019190048.tif 000007